(57)【要約】  開示のレンズ設計は、ホットスポットを有しない均一な光分布を可能にし、従来のレンズに比べてより広い転送機能を達成し、直接式バックライト装置のために必要な光源の数及び全体的なコストを削減するという利点を有する。開示のレンズは、その上部にあるビームシェーピング要素を有し、該レンズ及び該ビームシェーピング要素を内蔵したバックライト装置は、バックライト装置により生成される光ホットスポットを除去し、照明領域において均一な光分布を得る。開示のレンズは、特に、バックライトの極めて広い転送機能又は極めて弱いバックライトが必要なとき、特に有用である。
2020528211.tif 000002
【特許請求の範囲】
【請求項１】
発光装置であって、
光源と、
前記光源に結合され前記光源の上に置かれた光学レンズであって、前記光学レンズは、前記光学レンズ及び前記光源の光学軸に関して放射対称である内側曲面及び外側曲面を有する、光学レンズと、
前記光学レンズに結合され前記光源の上に置かれたビームシェーピング要素であって、前記ビームシェーピング要素は、前記光源から生じ前記光学レンズから屈折する光の少なくとも一部を散乱し方向付けて、前記発光装置の上の光領域において均一な光強度分布パターンを生成するよう構成される、ビームシェーピング要素と、
を含む発光装置。
【請求項２】
基板であって、前記光源が前記基板の上面に形成される、基板、
を更に含む請求項１に記載の発光装置。
【請求項３】
前記ビームシェーピング要素は、前記光学レンズ及び前記光源の前記光学軸に関して放射対称である、請求項１に記載の発光装置。
【請求項４】
前記ビームシェーピング要素を前記光学レンズの上面に固定するよう構成される複数の突起、
を更に含む請求項１に記載の発光装置。
【請求項５】
前記ビームシェーピング要素の底面は、前記ビームシェーピング要素の前記底面上にパターンを更に含み、前記パターンは、前記光源から生じ前記レンズから屈折された光の一部を反射し、前記ビームシェーピング要素を通じて、前記光源から生じ前記光学レンズから屈折された光の別の部分を放射する、請求項１に記載の発光装置。
【請求項６】
前記パターンは、ドットのパターンであり、前記ドットは光を反射し、ドットの間の間隔は光を放射する、請求項５に記載の発光装置。
【請求項７】
前記ドットは、円形、ダイヤモンド形、楕円形、又は長方形、のうちの１つである形状を有する、請求項６に記載の発光装置。
【請求項８】
前記パターンは反射コーティングから成る、請求項５に記載の発光装置。
【請求項９】
前記反射コーティングは、少なくとも部分的に吸収するインクである、請求項８に記載の発光装置。
【請求項１０】
前記ビームシェーピング要素は、内面及び外面を有する、請求項１に記載の発光装置。
【請求項１１】
前記光学レンズの前記外側曲面と前記ビームシェーピング要素の前記内面との間にギャップを有する、請求項１０に記載の発光装置。
【請求項１２】
前記ビームシェーピング要素の前記外面は、前記光学レンズの前記外側曲面と異なる曲率を有する、請求項１０に記載の発光装置。
【請求項１３】
前記ビームシェーピング要素の前記内面及び前記外面は、滑らかな面である、請求項１０に記載の発光装置。
【請求項１４】
前記ビームシェーピング要素の前記外面は、前記ビームシェーピング要素の前記内面に向けて内部にへこんだ、前記項がくじくに中心のある凹状部分を含む、請求項１０に記載の発光装置。
【請求項１５】
前記光学レンズの支持土台を含み、前記ビームシェーピング要素は前記光学レンズの前記支持土台の上面に固定される、請求項１に記載の発光装置。
【請求項１６】
前記ビームシェーピング要素の上に置かれた拡散板であって、前記ビームシェーピング要素から放射された光を均一に分布させる、拡散板、を更に含む請求項１に記載の発光装置。
【請求項１７】
前記光学レンズは、以下の材料：ポリメタクリル酸メチル（PMMA）、テレフタル酸ポリエチレン（PET）、ポリカーボネート（PC）、ポリスチレン（PS）、又はガラス、のうちの１つから成る、請求項１に記載の発光装置。
【請求項１８】
前記ビームシェーピング要素は、以下の材料：ポリメタクリル酸メチル（PMMA）、テレフタル酸ポリエチレン（PET）、ポリカーボネート（PC）、ポリスチレン（PS）、又はガラス、のうちの１つから成る、請求項１に記載の発光装置。
【請求項１９】
スクリーンバックライトとして使用される、請求項１に記載の発光装置。
【請求項２０】
前記光源は、発光ダイオード（LED）として構成される、請求項１記載の発光装置。
【発明の詳細な説明】
【技術分野】
【０００１】
本開示は、概して、輝度の均一性を向上するための発光装置及び光学レンズに関する。
【背景技術】
【０００２】
発光ダイオード（ＬＥＤ）光源は、直接式バックライト照明のために一般的に且つ広く使用されている。コンピュータ、パーソナルデジタルアシスタント（ＰＤＡ）、携帯電話機、及び薄型液晶ディスプレイ（ＬＣＤ）テレビ（ＴＶ）は、直接式ＬＥＤバックライトを使用するバックライトスクリーン装置の少数の例である。しかしながら、ＬＥＤの光強度分布範囲は狭いので、光を分布させることを助けるためにＬＥＤの上にレンズが使用されることがある。
【０００３】
直接式バックライトでは、バックライト装置の表面においてより均一な光出力を提供するために、レンズのアレイが光源の前に配置される。レンズの直ぐ上の光スポットのサイズに依存して、又はレンズのラジアン角が狭い場合、膨大な数のＬＥＤが必要とされることがあり、したがってコストを増大させる。バックライトのために必要なＬＥＤの数は、各々の個々のＬＥＤ装置のスポットサイズを増大することにより削減できる。
【発明の概要】
【０００４】
本開示は、光ホットスポットを生成することなく均一な光分布を達成し、必要な光源の数及び直接式バックライト装置の全体コストを削減する利点を有する光学レンズ及び発光装置設計を開示する。本開示は、目標表面において光の均一な分布を生成するための、光学レンズの上部にビームシェーピング要素を備える該光学レンズ、及びバックライト装置、又は該レンズ及びビームシェーピング要素を内蔵する他の発光装置に関する。開示のレンズ及び発光装置は、特に、バックライトの広い又は極めて広い転送機能が必要なとき、有用である。
【図面の簡単な説明】
【０００５】
【図１】凹状光学レンズを備える例示的な発光ダイオード（ＬＥＤ）の断面図である。
【図２】光学レンズ及びビームシェーピング要素を備える例示的なバックライト装置の断面図である。
【図３】図２に示した例示的なバックライト装置２００の３次元（３Ｄ）透視（側面）図である。
【図４Ａ】例示的なドットパターンを示す、図１に示した例示的なバックライト装置内のビームシェーピング要素の底面の平面図である。
【図４Ｂ】例示的なドットパターンを示す、図１に示した例示的なバックライト装置内のビームシェーピング要素の底面の平面図である。
【図５】光学レンズ及びビームシェーピング要素を備える別の例示的なバックライト装置の断面図である。
【図６】図５に示した例示的なバックライト装置の３Ｄ透視（底面及び側面）図である。
【発明を実施するための形態】
【０００６】
ここで、ＬＥＤ装置は、発光装置又はバックライト装置と同義的に使用されることがある。したがって、ＬＥＤ光源又はいかなる他の種類の光源も、発光装置内で同様に使用されてよい。直接式バックライト産業における急速な発展は、新規な、より広範な且つより均一なレンズ設計の必要を生み出している。ＬＥＤレンズにより提供される遙かに広い光分布は、バックライトにおいて必要なＬＥＤ装置の全体数を削減することにより、バックライトのコストを有意に低減できる。図１は、凹状光学レンズ１０２（Ｘ−Ｚ平面に示される断面）を備える、例示的なＬＥＤ装置１００（又は発光装置１００）の断面図である。ＬＥＤ装置１００は、限定ではないが、以下のコンポーネント：内側曲面１１２（光入射面１１２とも呼ばれる）及び外側曲面１２２（光出射面１２２とも呼ばれる）を含むレンズ１０、光源１０４（例えば、ＬＥＤ）、基本面１１４、及び／又は拡散板１１６（又はより一般的には光受信部１１６）、を含んでよい。
【０００７】
光源１０４は、光学レンズ１０２の中心及び下側部分に配置されてよい（例えば、レンズ１０２の光学軸Ｚ上に中心がある）。例えば、赤色ＬＥＤ、青色ＬＥＤ、又は緑色ＬＥＤは、光源１０４として利用されてよい。光源１０４は、電力を光源１０４に加えるためにソケット及び端子（図示しない）を通じて回路基板（図示しない）に電気的に結合されてよい。拡散板１１６は、スクリーンバックライトにおいて、明るいスポットを低減し又は除去するために、光源１０４からの光を均一に分布させるために使用されてよく、様々な厚さ、不透明度又は反射率の多数のプラスチックシートを有してよい。
【０００８】
凹状光学レンズ１０２の形状は、矢印により示すように、光源１０４から放射される光の光散乱角を増大し、それにより、ＬＥＤ装置１００の上の光スポットを拡大する。光源１０４から放射された光は、先ず光入射面１１２で、次にレンズ１０２の光出射面１２２で屈折される。その結果、光源１０４からの光線は、扇形に広げられ、（例えば、レンズを有しない単一のＬＥＤ光源と比べて）より広い領域に渡り分布される。一例では、外側曲面１２２は、レンズ１０２の光入射面１１２に向かって内側にへこんだ、光学Ｚ軸上に中心のある陥凹部を含んでよい。
【０００９】
しかしながら、光源１０４から生成された光の一部は、大部分は光出射面１２２の中心に周り（Ｚ軸）にあるレンズ−空気の接触面で生じる全体的な内部反射のために反射される可能性がある。反射光の一部は、更に底面により反射されて、照明領域の中心に戻され、したがって、照明領域の中心における（Ｚ軸の周りの）極めて強い光の「ホットスポット」に貢献する。したがって、レンズ１０２は、必要な放射角が広すぎないとき、光を分布するために良好に機能する。しかしながら、所要のスポットサイズが十分に大きいとき、凹状レンズ１０２を用いるバックライト装置１００は、満足できない不均一な光分布パターンを生み出すことがある。
【００１０】
省エネルギ方針の導入により、コスト削減は重要な課題になっている。多くの用途において、使用されるＬＥＤ及びレンズの数を削減することによりコストを節約するために、スポットサイズ要件が増大している。したがって、ＬＥＤ装置におけるホットスポットの低減は、既存のレンズ構造及びＬＥＤ装置設計に伴う未解決の課題であり続ける。コストを削減する例示的なアプローチは、高出力ＬＥＤを置き換えるための、低コスト中出力ＬＥＤの使用である。しかしながら、（高出力ＬＥＤの小さなダイサイズと比べて）中出力ＬＥＤにより標準的に採用される大きなダイサイズは、ホットスポット現象を更に悪化させることがある。コストを削減するための他の例示的なアプローチは、限定ではないが、使用されるＬＥＤ、印刷回路基板（ＰＣＢ）、及び／又はフォイル（フィルム）の数を削減することを含み得る。
【００１１】
したがって、本開示の目的は、既存の光学レンズの前述の欠点を緩和し照明領域における均一な光分布を達成できる、光源のための光学レンズを提供することである。直接式バックライト産業における急速な発展は、新規な、より広範な且つより均一なレンズ設計の必要を生じている。
【００１２】
ここに開示されるレンズ設計は、光ホットスポットを生成することなく、均一な光分布を可能にし、したがって、他のレンズと比べて、光のより広い転送機能を有し、直接式バックライト装置の全体コストを低減する。
【００１３】
本開示は、目標表面において光の均一な分布を生成するための、ＬＥＤレンズの上部表面にビームシェーピング要素を備える該ＬＥＤレンズ、及びバックライト装置、又は該レンズを内蔵する他の発光装置に関する。発光装置は、光源（例えば、ＬＥＤ光源）、及びレンズ本体、を含む。したがって、ＬＥＤ光源は、その入射面内に収容され、ＬＥＤ光源から放射された光は、レンズ本体の垂直方向に放射される。ビームシェーピング要素は、レンズ本体の上部に固定され、レンズ本体の出射面（光出力表面）を通じて放射される光ビームを調整するよう構成される。垂直方向に放射される光の量は、少なくともビームシェーピング要素を用いて、バックライトの要件に従い調整されてよい。ビームシェーピング要素は、光を後方に又は他の方向へと放射して、中心の強度を低減し、発光装置の照明領域にあるホットスポットを軽減し、したがって、全体的なバックライトの均一性を向上する。開示のレンズは、バックライトの極めて広い転送機能が必要なとき、特に有用である。本開示は、以下に詳細に説明される。本開示は、バックライト装置及びＬＥＤ光源に関して記載されるが、開示のレンズ設計は、他の光源及び光源装置と共に同様に使用され得ることが当業者により理解される。
【００１４】
図２は、本開示による、例示的な発光装置２００（例えば、バックライト装置）の断面図である。バックライト装置２００は、限定ではないが、以下のコンポーネント：光入射面１１２（内側曲面２１２とも呼ばれる）及び光出射面２２２（外側曲面２２２とも呼ばれる）を含む光学レンズ２０２、レンズ２０２に結合されたＬＥＤ光源２０４、レンズ２０２及びＬＥＤ光源２０４に結合された基板２０６、及び／又はレンズ２０２の上に置かれ突起２１４によりレンズ２０２の上部に固定されたビームシェーピング要素２１０、を含んでよい。バックライト装置２００は、図示されない他の要素を更に含んでよい。例えば、バックライト装置２００は、ビームシェーピング要素２１０の上に置かれてよい拡散板（図示しない）を含んでよい。
【００１５】
ＬＥＤ光源２０４は、円の中心（Ｘ，Ｙ，Ｚ）座標に位置し、レンズ２０２の光学軸Ｚ上に中心がある。レンズ２０２の入射面２１２は、その下側部分にＬＥＤ光源２０４を収容するよう構成される。
【００１６】
ＬＥＤ光源２０４は、基板２０６の上に形成されてよい。基板２０６は、平面板であってよく、限定ではないが、以下の例示的な材料：セラミック、シリコン、サファイア、及び／又は炭化ケイ素を含む電気的絶縁材料により作られてよい。基板２０６の上面は、ＬＥＤ光源２０４と電気的に結合し、ＬＥＤ光源２０４に電力を提供する。
【００１７】
レンズ２０２は、Ｚ軸に関して中心対称である。入射面２１２は、ＬＥＤ光源２０４の中心部分に位置し、ＬＥＤ光源２０４から出てくる光を受ける。光出射面２２２は、所定の光分布を形成するよう配置され、中心Ｚ軸に関して対称でもある。入射面２１２及び光出射面２２２の曲面及び相対位置は、バックライト装置２００の放射角要件に従い調整されてよい。一例では、光出射面２２２は、レンズ１０２の光入射面１１２に向かって内側にへこんだ、光学Ｚ軸上に中心のある陥凹部を含んでよい。ビームシェーピング要素２１０は、レンズ２０２の光出射面２２２の上部に突起２１４により固定されてよい。その結果、レンズ２０２及びビームシェーピング要素２１０は、それら個々の光拡散機能をより正確に実行できる。
【００１８】
ビームシェーピング要素２１０のために使用される材料の例は、ポリメタクリル酸メチル（polymethyl  methacrylate：PMMA）、テレフタル酸ポリエチレン（polyethylene  terephthalate：PET）、ポリカーボネート（polycarbonate：PC）、ポリスチレン（polystyrene：PS）、又はガラスを含む。ビームシェーピング要素２１０のために使用される材料は、レンズ２０２のために使用される材料と同じ又は異なってよい。一例では、３つ以上の突起２１４が、ビームシェーピング要素２１０をレンズ２０２に固定するために使用されてよいが、任意の数の突起２１４が使用されてよい。一例では、複数の突起２１４の各々の高さは、ビームシェーピング要素２１０を基板２０６に水平にするために同じであってよい。別の例では、突起２１４は、光を遮るのを防ぐために可能な限り薄くされてよい。別の例では、突起２１４は、紫外線（ultra−violet：UV）接着剤、又は他の接着材料により、レンズ２０２に固定されてよい。しかしながら、突起の高さ、厚さ、及び数は、本開示の範囲内で他の値に調整されてよい。
【００１９】
ビームシェーピング要素２１０は、光出射面２２２の中心部に固定されてよく、光学Ｚ軸上に中心があってよい。本開示によると、光源２０４から生じ光出射面２２２から放射される光の一部は、ビームシェーピング要素２１０により反射され、一方で該光の他の部分は、ビームシェーピング要素２１０を通じて直接放射される。これは、ビームシェーピング要素２１０の底面２１６を、光の一部を放射し一部を反射するよう形成することにより達成され得る。一例では、ビームシェーピング要素２１０は、ビームシェーピング要素２１０の底面２１６上のドットパターンにより形成されてよい。したがって、ドットパターンは、光の一部を、ビームシェーピング要素２１０を通じて（例えば、ドットの間の空間を通じて）放射させ、一方では、光の他の部分を（例えば、ドットにより）反射させる。図４Ａ及び４Ｂを参照して、ドットパターンの例示的な設計を以下に更に詳述する。ビームシェーピング要素２１０のサイズ及び／又は位置は、レンズ２０２の中心部における光ホットスポットを減少させ又は除去するために、レンズ２０２から出てくるホットスポットサイズに従い調整されてよい。
【００２０】
図３は、図２に示した例示的なバックライト装置２００の３次元（３Ｄ）透視（側面）図である。レンズ２０２の光出射面２２２から放射された光は、ビームシェーピング要素２１０の底へ入射し、ビームシェーピング要素２１０の底面２１６上のパターン（例えば、ドットパターン）の分布に従い光が調節される光領域を形成する。例えば、ドットパターンが使用される場合、光の一部は、ドットがある場所で反射され、光の別の部分は、ドットが存在しない場所で、ビームシェーピング要素２１０を通じて放射される。結果として、輝度（つまり、所与の方向に表面から放射される単位面積当たりの光の強度）がレンズ２０２の中心Ｚ軸に集中することが防がれ、したがって、レンズ２０２の上のホットスポットを除去する。ビームシェーピング要素２１０のサイズ、高さ、及び／又は厚さは、例えばバックライト装置２００の要件に基づき、変化し、調整されてよい。
【００２１】
一例では、ビームシェーピング要素２１０は、組立許容範囲内で可能な限りレンズ２０２に近く配置されてよい（例えば、レンズ２０２からビームシェーピング要素２１０までの距離又はその間が０．２ｍｍ）。別の例では、ビームシェーピング要素２１０の厚さは、より多くの光を吸収することを回避するために可能な限り薄くされてよい。ビームシェーピング要素２１０のサイズは、レンズ２０２のホットスポットサイズに従い最適化されてよい。例えば、ビームシェーピング要素２１０のサイズは、ホットスポットサイズに比例してよい（例えば、大きなビームシェーピング要素２１０ほど、大きなホットスポットサイズのために使用される）。
【００２２】
図４Ａ及び図４Ｂは、図２に示した例示的なバックライト装置２００内のビームシェーピング要素２１０の底面２１６の平面図であり、例示的なドットパターン２１３Ａ及び２１３Ｂを示す。上述のように、ドットパターン２１３Ａ又は２１３Ｂのようなパターンは、ビームシェーピング要素２１０の底面２１６上に形成されてよい。ドットパターン２１３Ａ及び２１３Ｂは、光が明るすぎる場合、光がビームシェーピング要素２１０の底面２１６上のドットにより反射されるように、分布される。ドットパターンは、ドットの数、サイズ、位置、及び／又は形状を変化することにより、実施されてよい。例えば、ドットパターン２１３Ａは、ドットパターン２１３Ｂと比べて、互いにより近く大きなドットを示す。円形ドットが示されるが、他の形状のドットが使用されてよい（例えば、ダイヤモンド形、楕円形、長方形、等）。さらに、ドットパターン２１３Ａ及び２１３Ｂは、規則的であるように示されるが、不規則なドットパターンが使用されてよい。一例では、ドットパターンは、光を伝える代わりに光を反射するアルミめっきを施された表面（アルミニウムフィルム）のような、反射コーティングを用いて生成されてよい。例えば、アルミニウムフィルムは、入射してくる光の８５％より多くを反射してよい。別の例では、ドットは、入射してくる光の一部（例えば、光の４０％〜５０％）を吸収し及び光の残りの部分を反射するインクコーティングを用いて生成されてよい。
【００２３】
図５は、本開示による、別の例示的な発光装置５００（例えば、バックライト装置）の断面図である。バックライト装置５００は、限定ではないが、以下のコンポーネント：光入射面５１２（内側曲面５１２とも呼ばれる）と、光出射面５２２（外側曲面５２２とも呼ばれる）と、支持土台５３８と、底面５４０とを含むレンズ５０２、レンズ５０２に結合されたＬＥＤ光源５０４、レンズ５０２及びＬＥＤ光源５０６に結合された基板５０４、及び／又は内面５３２と外面５３４とを含むビームシェーピング要素５３０、を含んでよい。バックライト装置２００は、図示されない他の要素を更に含んでよい。
【００２４】
ＬＥＤ光源５０４は、円の中心（Ｘ，Ｙ，Ｚ）座標に位置し、レンズ５０２の光学軸Ｚ上に中心がある。図５に示すように、レンズ５０２及びビームシェーピング要素５３０は、中心Ｚ軸に関して中心対称である。ビームシェーピング要素５３０は、レンズ５０２の支持土台５３８に固定されてよい。ビームシェーピング要素５３０の内面５３２は、レンズ５０２の光出射面５２２から離れていてよい。言い換えると、ビームシェーピング要素５３０の内面５３２とレンズ５０２の光出射面５２２との間にギャップがあってよい。例えば、ギャップは、ビームシェーピング要素５３０及びレンズ５０２の組立衝突を回避するために、０．２ｍｍ以上であってよい。
【００２５】
ビームシェーピング要素５３０の外面５３４は、光出射面５２２の曲率と同じ又は異なる曲率を有してよい。一例では、外面５３４、内面５３２、及び光出射面５２２は、同じ曲率を有しなくてよい。例えば、外面５３４又は内面５３２のいずれかが、光出射面５２２と同じ曲率を有してよく、或いは、外面５３４及び内面５３２の両方が出射面５２２と異なる曲率を有する。
【００２６】
ＬＥＤ光源５０４から生成された光は、光入射面５１２を通って、レンズ５０２へと屈折する。光の一部は、光出射面５２２を通ってビームシェーピング要素５３０上へと、レンズ５０２の外へ直接屈折し、一方で、光の一部又は大部分は、全体的な内部反射により、光出射面５２２により反射される。反射光の一部は、レンズ５０２の底面５４０により、ビームシェーピング要素５３０の内面５３２を通じて、ビームシェーピング要素５３０の中心部（Ｚ軸の周り）へと更に反射される。ビームシェーピング要素５３０へ屈折された光は、ビームシェーピング要素５３０を通じて更に伝達する。外面５３４の空気−表面の境界における全体的な内部反射の臨界角より大きな入射角を有する光は、全体的な内部反射のために反射される。したがって、ビームシェーピング要素５３０による反射は、発光装置５００の上のホットスポットを除去する。
【００２７】
一例では、ビームシェーピング要素５３０の内面５３２及び外面５３４は、滑らかな面であってよい。ビームシェーピング要素５３０は、Ｚ軸の周りの中心部においてへこんでよい。その結果、ビームシェーピング要素５３０の中心軸Ｚを通る垂直断面は、実質的に「Ｍ」形の構成を有する。一例では、ビームシェーピング要素５３０は、材料を節約し及び材料吸収を低減するために、最も薄い位置において可能な限り薄くされてよい。例えば、ビームシェーピング要素５３０は０．４ｍｍの厚さであってよい。ビームシェーピング要素５３０とレンズ５０２との間の空間又はギャップは、組立許容範囲を考慮して、少なくとも０．２ｍｍであってよい。
【００２８】
図６は、図５に示した例示的なバックライト装置５００からのビームシェーピング要素５３０（左側）及びレンズ５０２（右側）の３Ｄ透視（底面及び側面）図である。ＬＥＤ光源５０４から放射された光は、レンズ５０２の入射面５１２及び光出射面５２２により、次にビームシェーピング要素５３０の内面５３２及び外面５３４により、順に拡散される。光は、レンズ５０２及びビームシェーピング要素５３０により異なる程度で相違して拡散され、したがって、より不均一に分布されるようになる。ビームシェーピング要素５３０は、レンズ５０２の支持土台５３８の上面に固定されてよい。
【００２９】
本開示によると、レンズを通じて放射された光の一部は、光学レンズのビームシェーピング要素から更に反射され屈折される。その結果、ホットスポットが除去される。上述の実施形態は、開示されたビームシェーピング要素の例を提供した。したがって、他の形状、材料、及び構造が、本開示の範囲内で光を方向付けるために使用されてよい。
【００３０】
本開示では、光学レンズ及び／又はビームシェーピング要素は、限定ではないが、以下の材料：ＰＭＭＡ、ＰＥＴ、及び／又はガラスを含むいかなる材料から生成されてよい。ビームシェーピング要素のために使用される材料は、レンズのために使用される材料と同じ又は異なってよい。本開示は、例示的な実施形態を含む。したがって、当業者は、記載の要素を変更し、修正し、省略し、又は等価な要素により置き換えることができる。
【図１】
2020528211.tif 000003
【図２】
2020528211.tif 000004
【図３】
2020528211.tif 000005
【図４Ａ】
2020528211.tif 000006
【図４Ｂ】
2020528211.tif 000007
【図５】
2020528211.tif 000008
【図６】
2020528211.tif 000009
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
システムであって、
発光ダイオードから放射された光をシェーピングしてシェーピングされた光を形成するよう構成されるレンズと、
前記レンズに結合され、前記シェーピングされた光の少なくとも一部を受けるよう位置付けられたビームシェーピング要素と、
を含み、
前記ビームシェーピング要素は、前記レンズに面する入射面を含み、
前記入射面は、前記シェーピングされた光の第１部分を前記レンズに向けて反射するよう構成される反射要素パターンを含み、
前記入射面は、前記シェーピングされた光の第２部分を前記パターンの中の隣接する反射要素の間の１つ以上の空間を通って、前記ビームシェーピング要素を伝播させる、システム。
【請求項２】
前記反射要素は、実質的に直線パターンに配置される、請求項１に記載のシステム。
【請求項３】
前記反射要素は、不規則パターンに配置される、請求項１に記載のシステム。
【請求項４】
前記反射要素は、同じサイズ及び同じ形状を有する、請求項１に記載のシステム。
【請求項５】
前記反射要素は、少なくとも幾つかの実質的に円形の反射ドットを含む、請求項１に記載のシステム。
【請求項６】
前記反射要素の前記パターンは、前記ビームシェーピング要素の前記入射面上に位置する反射コーティングの中に形成される、請求項１に記載のシステム。
【請求項７】
前記反射コーティングはアルミニウムフィルムを含む、請求項６に記載のシステム。
【請求項８】
前記ビームシェーピング要素は、前記レンズから、前記シェーピングされた光の一部のみを受けるよう位置付けられ大きさを定められる、請求項１に記載のシステム。
【請求項９】
前記シェーピングされた光は、前記ビームシェーピング要素の面において、前記ビームシェーピング要素の面積より大きな面積に渡り広がる、請求項８に記載のシステム。
【請求項１０】
前記ビームシェーピング要素は、前記レンズから、前記シェーピングされた光の特定部分のみを受けるよう位置付けられ大きさを定められる、請求項８に記載のシステム。
【請求項１１】
前記レンズは光学軸を定め、
前記ビームシェーピング要素は前記光学軸に中心がある、
請求項１に記載のシステム。
【請求項１２】
前記レンズは光学軸に関して放射状に対称的であり、
前記ビームシェーピング要素は、放射状に対称的であり、前記光学軸に中心がある、
請求項１に記載のシステム。
【請求項１３】
前記ビームシェーピング要素を前記レンズの出射面に固定する複数の突起、
を更に含む請求項１に記載のシステム。
【請求項１４】
前記レンズの前記出射面は、凸状周辺部に囲まれた凹状中心部を含み、
前記複数の突起は、前記ビームシェーピング要素を前記レンズの前記出射面の前記凸状周辺部に固定する、
請求項１３に記載のシステム。
【請求項１５】
光を前記レンズへ向けて放射して、前記シェーピングされた光を形成するよう構成される発光ダイオード、
を更に含む請求項１に記載のシステム。
【請求項１６】
方法であって、
発光ダイオードにより光を生成するステップと、
レンズにより前記光をシェーピングして、シェーピングされた光を形成するステップであって、前記シェーピングされた光は、中心部と前記中心部を囲む周辺部とを含む、ステップと、
前記レンズに結合されたビームシェーピング要素の入射面に位置付けられた反射要素パターンにより、前記シェーピングされた光の前記中心部の少なくとも一部を前記レンズへ向けて反射するステップと、
前記パターンの中の隣接する反射要素の間の１つ以上の空間を通って、前記ビームシェーピング要素を通じて前記シェーピングされた光の前記中心部の少なくとも一部を送信するステップと、
を含む方法。
【請求項１７】
前記生成された光は、光学軸に関して回転対称であり、
前記レンズ、前記シェーピングされた光、及び前記ビームシェーピング要素は、前記光学軸に関して回転対称である、
請求項１６に記載の方法。
【請求項１８】
前記シェーピングされた光の前記周辺部を前記ビームシェーピング要素の周りに向けるステップであって、その結果、前記シェーピングされた光の前記周辺部は前記ビームシェーピング要素に当たらない、ステップ、
を更に含む請求項１７に記載の方法。
【請求項１９】
システムであって、
光学軸の周りに中心があり、光を放射するよう構成される発光ダイオードと、
前記放射された光をシェーピングして、シェーピングされた光を形成するよう構成されるレンズであって、前記レンズは、前記光学軸に関して回転対称である、レンズと、
前記レンズに結合されるビームシェーピング要素と、
を含み、
前記ビームシェーピング要素は、前記光学軸に関して回転対称であり、
前記ビームシェーピング要素は、前記シェーピングされた光の中心部のみを受けるよう位置付けられ大きさを定められ、
前記ビームシェーピング要素は、前記レンズの出射面に面する入射面を含み、
前記入射面は、前記シェーピングされた光の第１部分を前記レンズに向けて反射するよう構成される反射要素パターンを含み、
前記入射面は、前記シェーピングされた光の第２部分を、前記パターンの中の隣接する反射要素の間の１つ以上の空間を通じて、前記ビームシェーピング要素を伝播させる、
システム。
【請求項２０】
前記ビームシェーピング要素を前記レンズの前記出射面に固定する複数の突起、
を更に含む請求項１９に記載のシステム。
【国際調査報告】
2020528211.tif 000010
2020528211.tif 000011